(57)【要約】  衣類上のポケットは、オーディオ再生装置を格納するために構成される。デバイスドックは、前記ポケットと関連している。前記デバイスドックは、前記オーディオ再生装置に接続可能なオーディオコネクタを含む。ジャックドックは、衣類上に存在する。前記ジャックドックは、ヘッドホンに接続するために構成されたヘッドホンジャックを含む。細長い伸縮性織物のデータ／電力バスは、前記デバイスドックと前記ジャックドックとの間で衣類と一体化される。
2013520078.tif 000002
【特許請求の範囲】
【請求項１】
前方部及び後方部を有する衣類と、
オーディオ再生装置を格納するように構成された、前記衣類上のポケットと、
前記ポケットと関連したデバイスドックであって、前記オーディオ再生装置に接続可能なオーディオコネクタを含む、デバイスドックと、
前記衣類上のジャックドックであって、ヘッドホンに接続するように構成されたヘッドホンジャックを含む、ジャックドックと、
前記デバイスドックと前記ジャックドックとの間で前記衣類と一体化した細長い伸縮性織物のデータ／電力バスと、
を備える、着用可能型オーディオケーブル管理システム。
【請求項２】
前記ポケット及び前記デバイスドックは、前記衣類の前記前方部に位置することを特徴とする、請求項１に記載のシステム。
【請求項３】
前記ポケット及び前記デバイスドックは、前記衣類の前方部下部分に位置することを特徴とする、請求項２に記載のシステム。
【請求項４】
前記ジャックドックは、前記衣類の前記後方部に位置することを特徴とする、請求項１に記載のシステム。
【請求項５】
前記ジャックドックは、前記衣類の首部分に隣接して位置することを特徴とする、請求項４に記載のシステム。
【請求項６】
前記デバイスドックはハウジングを含み、該ハウジングは、前記オーディオコネクタを固定するためのチャンネルを画定することを特徴とする、請求項１に記載のシステム。
【請求項７】
前記ハウジングは、前記オーティオコネクタを前記データ／電力バスに接続するように構成されたサブシステムを含むことを特徴とする請求項６に記載のシステム。
【請求項８】
前記ハウジングはシェルフを含み、
該シェルフは、前記オーディオ再生装置を位置付けるように構成され、それによって、前記オーディオ再生装置のジャックが前記オーディオコネクタと係合することを特徴とする、請求項６に記載のシステム。
【請求項９】
前記ハウジングに取り付けられたカバーをさらに含むことを特徴とする、請求項６に記載のシステム。
【請求項１０】
前記ハウジングは、前記デバイスドックを前記衣類に固定するように構成されたフランジを含むことを特徴とする、請求項６に記載のシステム。
【請求項１１】
前記ジャックドックは、その内部に前記ヘッドホンジャックを固定するように構成されたハウジングを含むことを特徴とする、請求項１に記載のシステム。
【請求項１２】
前記ハウジングは、前記ヘッドホンジャックを前記データ／電力バスに接続するように構成されたサブシステムを含むことを特徴とする、請求項１１に記載のシステム。
【請求項１３】
前記ハウジングは、前記ジャックドックを前記衣類に固定するように構成されたフランジを含むことを特徴とする、請求項１１に記載のシステム。
【請求項１４】
前記衣類は、身体にぴったり合うものとされることを特徴とする、請求項１に記載のシステム。
【請求項１５】
前記衣類は、ゆったりとしたものとされることを特徴とする、請求項１に記載のシステム。
【請求項１６】
前方部及び後方部を有する衣類と、
オーディオ再生装置を格納するように構成された、前記衣類の前記前方部上のポケットと、
前記ポケットと関連したデバイスドックであって、前記オーディオ再生装置に接続可能なオーディオコネクタを含む、デバイスドックと、
前記衣類の前記後方部上のジャックドックであって、ヘッドホンに接続するように構成されたヘッドホンジャックを含む、ジャックドックと、
前記デバイスドックと前記ジャックドックとの間の前記衣類と一体化した細長い伸縮性織物のデータ／電力バスと、
を備える、着用可能型オーディオケーブル管理システム。
【請求項１７】
前記ジャックドックが前記衣類の首部分に隣接して位置することを特徴とする、請求項１６に記載のシステム。
【発明の詳細な説明】
【技術分野】
【０００１】
［関連出願］
この出願は、３５  Ｕ．Ｓ．Ｃ．  第１１９条，  第１２０条，  第３６３条，  第３６５条，  及び３７  Ｃ．Ｆ．Ｒ．  第１．５５条及び第１．７８条に基づく、２０１０年２月１１日付けで提出された米国仮特許出願第６１／３３７，６５８号の利益及び優先権を主張する。
【０００２】
この発明は、「着用可能型電子装置」、「着用可能型コンピュータ」、「スマート生地（smart fabrics）」、及び同様のものに関し、より具体的には、着用可能型オーディオケーブル管理システムに関する。
【背景技術】
【０００３】
データ及び電力を供給するために織物から全体的に構築され、且つ接触検知などの機能を実行するために設計された「着用可能型コンピュータ」及び電子回路のアイデアは、非特許文献１に初めて記載された。
【０００４】
ここに記載された本願発明より前に、電気的な構成要素又は電子的な構成要素はしばしば、衣類の部品に固定されていた、又は、ポーチ又はポケット内に配置されていた。それらの構成要素の間における個々の電線はその結果、衣類の外側に固定されていた、又は、継ぎ目及び同様のものに部分的又は全体的に配置されていた。この方法において、使用者は、ヘッドホン、ヘッドセット、又はジャックのカラーに位置したスピーカー及び／又はマイクロフォンに接続された、オーディオ再生装置、携帯電話、又は類似の種類の装置を「着用する」ことができる。
【０００５】
この設計での問題は、電線が衣類の織物材料から分離することである。その結果として、電線は、見苦しくなり、且つ着心地の悪いものとなり、耐久性が無く、対象物に絡みつく場合があり、機動性が損なわれる場合があり、重量が増加する場合があり、洗うことができず、腐食に対する耐性もない。一般的に、そのような設計は、非常に頑丈ではない。
【０００６】
それ故に、当業者は、衣類自体の物品の織物内で電子回路及びデータ並びに電源導体を一体化させるために探していた。非特許文献１を参照してほしい。そして、非特許文献１はこの参照によって本願明細書内に組み込まれる。非特許文献１において、金属糸は、生地の横糸を形成しており、他の方向に延在している無地の蚕糸は、生地の縦糸を形成している。表面取り付け型発光ダイオード（ＬＥＤ’ｓ）、表面取り付け型結晶性圧電トランスデューサ、他の表面取り付け型構成要素はその結果、金属糸に直接的に半田付けされている。
【０００７】
しかし、金属糸が一の方向のみに延在しているので、電子的装置間における通信及び相互接続は、その方向にのみ行われることができる。さらに悪く、２つの構成要素を電気的に相互接続しない個々の金属糸は、２つの構成要素を電気的に相互接続する個々の金属糸のための電気的絶縁を提供するために切断されなければならない。それ故に、この設計は、様々な設計的な関心、すなわち、製造可能性、遮蔽性、及び電気的干渉を引き起こす。さらに、半田付けされた電子的構成要素を含んでいる生地は、繊細であり、洗うことができず、伸縮性を有しておらず、着心地が悪い。最後に、生地がそれ自体に折り重ねられると、短絡が生じるであろう。それ故に、生地の着心地を悪くさせる特別な絶縁コーティング又は支持体は、使用されなければならない。
【０００８】
他では、２つの電子的な構成要素を電気的に相互接続するための導電性繊維を有する織物生地を設計した。この参照によって本願に組み込まれた特許文献１及び２を見てほしい。また、主なアイデアは、衣類全体がこの特別な生地から製造されることである。同様に、センサーは、衣類の右側にあるコントローラーに電気的に接続されることができる。さらに、装置間のデータ又は電力の配線は、非常に厄介な製造プロセスである、生地における電気的接合部の広大な範囲にわたる形成なしで制限される。さらに、そのような衣類はまた、着心地が悪く、繰り返された洗濯サイクルに耐えることができない。この参照によって本願に組み込まれた特許文献３も見てほしい。
【０００９】
この参照により本願に組み込まれた自己の特許文献４には、一体化されたデータバス又は電力バスを有する織編材料の設計が開示されている。この織編材料は、単純な方法で製造され、外見を満足させ、着心地が良く、洗濯可能である。さらに、この織編材料は、耐久性があり、かなりの重量を加えず、耐食性を有し、機動性を妨げない。また、この織編材料は、高い疲労強度を呈し、特定の用途の短絡要求及び遮蔽要求を適切に満たしており、又は超えており、それらは軍事ベース又は消費者ベースである。
【００１０】
自己の特許文献５及び特許文献６の両方は、参照によって本願に組み込まれており、それに接続された１つ又は複数のセンサーを有する弾性繊維内に配置された細長い伸縮性織物のデータ／電力バスを有する生理学的に監視する改良された衣類を開示する。
【００１１】
一の従来のシステムは、使用者が該チャンネルを通じてヘッドホンの電線を通すために、衣類内に複数のチャンネルを提供する。他の従来のシステムは、オーディオ再生装置及び短いケーブルを有するヘッドホンに対する接続のために、従来のＴシャツ内に従来のヘッドホンの延長ケーブルを縫う。
【００１２】
標準型のヘッドホン又は他のケーブルセットを衣類内のチャンネル内に走らせることは、衣類を洗浄する目的のために、ヘッドホン及び電線の後続の除去を必要とする。従来のヘッドホンケーブル又は他の電線は伸縮可能ではなく、ライクラベースのスパンデックス繊維（lycra based spandex）又は同様のものなどの、高性能伸縮性生地と一体化された場合に、伸縮を妨害する場合がある。さらに、耐久性のケーブルヘッドホンの電線を有する衣類の製造は、異なった厄介な縫合プロセスを必要とする場合がある。
【００１３】
従来の「着用可能型」装置は、前記装置の性能を高め、且つ、使用者によって着用された衣類の性能を犠牲にすることなく、装置とともにユーザーインターフェースを改善する方法で、様々な電子的装置を支持し、且つ安全に収容する能力に欠ける場合がある。
【先行技術文献】
【特許文献】
【００１４】
【特許文献１】米国特許第6,080,690号明細書
【特許文献２】米国特許第5,906,004号明細書
【特許文献３】米国特許第3,414,666号明細書
【特許文献４】米国特許第6,727,197号明細書
【特許文献５】米国特許第７，５５９，９０２号明細書
【特許文献６】米国特許出願公開第２００７／０２９９３２５号明細書
【非特許文献】
【００１５】
【非特許文献１】E. Rehmi Post及びMaggie Orth著、「Smart Fabric, or Washable Computing」、マサチューセッツ州ケンブリッジ市で開催された「着用可能型コンピュータの第１回ＩＥＥＥ国際シンポジウム（The First IEEE International Symposium on Wearable Computers）」の論文ダイジェスト版、１９９７年１０月１３日〜１４日、１６６頁〜１６８頁（著作者は、マサチューセッツ工科大学のメディア研究室に所属する。また、ＵＲＬ：http:/www.media.mit.edu/%7EREHMI/fabric/index.htmlから入手可能である。）
【発明の概要】
【課題を解決するための手段】
【００１６】
衣類上のポケットを有する着用可能型オーディオケーブル管理システムであって、前記ポケットが、衣類上の便利な位置にオーディオ再生装置を固定し、それによって、使用者がオーディオ再生装置を見ることを可能にし、且つ制御することを可能にする、着用可能型オーディオケーブル管理システムを提供することは、主題発明の一の態様における目的である。着用可能型オーディオケーブル管理システムはまた、ポケットに関連したデバイスドックを含み、該ポケットは、オーディオ再生装置に接続するオーディオ再生装置と、ヘッドホンに接続するためのヘッドホンジャックを有するジャックドックと、含む。一体化された伸縮性のデータ／電力バスは、衣類のチャンネル内にヘッドホンケーブルを通す必要性を除去し、高性能の生地ととともに使用されることができ、容易に製造することができる。
【００１７】
この発明は、前方部及び後方部を有する衣類を含んでいる着用可能型オーディオケーブル管理システムを特徴とする。前記衣類の前記前方部上のポケットは、オーディオ再生装置を格納するように構成される。デバイスドックは、前記ポケットと関連している。前記デバイスドックは、前記オーディオ再生装置に接続可能なオーディオコネクタを含む。ジャックドックは、前記衣類上に存在する。前記ジャックドックは、ヘッドホンに接続するように構成されたヘッドホンジャックを含む。細長い伸縮性織物のデータ／電力バスは、前記デバイスドックと前記ジャックドックとの間の前記衣類と一体化される。
【００１８】
一の実施形態において、前記ポケット及び前記デバイスドックは、前記衣類の前方部に位置してもよい。前記ポケット及び前記デバイスドックは、前記衣類の前方部下部分に位置してもよい。前記ジャックドックは、前記衣類の後方部に位置してもよい。前記ジャックドックは、前記衣類の首部分に隣接して位置してもよい。前記デバイスドックは、前記オーディオコネクタを固定するためのチャンネルを画定するハウジングを含んでもよい。前記ハウジングは、前記オーティオコネクタを前記データ／電力バスに接続するように構成されたサブシステムを含んでもよい。前記ハウジングはシェルフを含んでもよく、該シェルフは、前記オーディオ再生装置を位置付けるように構成され、それによって、前記オーディオ再生装置のジャックが前記オーディオコネクタと係合する。前記ハウジングに取り付けられたカバーをさらに含んでもよい。前記ハウジングは、前記デバイスドックを前記衣類に固定するように構成されたフランジを含んでもよい。前記ジャックドックは、その内部に前記ヘッドホンジャックを固定するように構成されたハウジングを含んでもよい。前記ハウジングは、前記ヘッドホンジャックを前記データ／電力バスに接続するように構成されたサブシステムを含んでもよい。前記ハウジングは、前記ジャックドックを前記衣類に固定するように構成されたフランジを含んでもよい。前記衣類は、身体にぴったり合うものとされてもよい。前記衣類は、ゆったりとしたものとされてもよい。
【００１９】
本願発明はまた、前方部及び後方部を有する衣類を含んでいる着用可能型オーディオケーブル管理システムを特徴とする。前記衣類の前記前方部上のポケットは、オーディオ再生装置を格納するように構成される。デバイスドックは、前記ポケットに関連される。前記デバイスドックは、前記オーディオ再生装置に接続可能なオーディオコネクタを含む。ジャックドックは、衣類の後方部に存在する。前記ジャックドックは、ヘッドホンに接続するように構成されたヘッドホンジャックを含む。細長い伸縮性織物のデータ／電力バスは、前記デバイスドックと前記ジャックドックとの間の前記衣類と一体化されている。
【００２０】
一の実施形態において、ジャックドックは、衣類の首部分に隣接して位置してもよい。
【００２１】
しかしながら、他の実施形態における主題発明は、全てのそれらの目的を達成する必要がない。その特許請求の範囲は、それらの目的を達成することができる構造又は方法に制限されない。
【００２２】
他の目的、特徴、及び利点は、好ましい実施形態の以下の説明及び添付した図面から当業者に生じるであろう。
【図面の簡単な説明】
【００２３】
【図１】本願発明の着用可能型オーディオケーブル管理システムの一の実施形態の概略的な正面図であり、オーディオ再生装置のためのポケット、デバイスドック、及び、細長い伸縮性織物のデータバスの一部の一例を示す。
【図２】図１に示されたシステムの概略的な背面図であり、本願発明のジャックドックの一例を示す。
【図３】図１に示されたポケット及びデバイスジャックの構造をさら詳細に示す概略的な正面図である。
【図４】図１及び図３に示されたデバイスドックの構造をさらに詳細に示す概略的な上面図である。
【図５】図１、図３、及び図４に示されたデバイスドック及びオーディオ再生装置の関連の一例を示す正面図である。
【図６】オーディオ再生装置及びデバイスドックと関連する他の例を示す側面図である。
【図７】図２に示しているジャックドックの構造をさらに詳細に示す上面図である。
【図８】図１に示されたシステムのプロトタイプの一例を示す写真である。
【図９】図２に示されたシステムのプロトタイプの一例を示す写真である。
【図１０】ゆったりとした衣類上の、図１に示されたシステムの一例を示す概略的な正面図である。
【図１１】ゆったりとした衣類上の、図２に示されたシステムの一例を示す概略的な背面図である。
【発明を実施するための形態】
【００２４】
以下に開示された好ましい実施形態又は複数の好ましい実施形態に加えて、本発明は、他の実施形態とすることも可能であり、且つ複数の方法で実施可能で有り、又は実行されることができる。それ故に、本発明は、その用途において、以下の説明に記載される構成要素又は図面に図示される構成要素の構造及び配置の詳細に限定されないことは、理解されるべきである。ただ１つの実施形態のみが本願に記載される場合、その特許請求の範囲は、その実施形態に限定されない。
【００２５】
さらに、確かな排除、制限、または否認の明らか、かつ確証的な証拠の明示がない限り、請求項は限定的に読まれるべきではない。
【００２６】
図１には、本願発明の着用可能型オーディオケーブル管理システム１０の１つの実施形態が示される。この管理システム１０は、図２に示されるように、前方部１３及び後方部１５を有する衣類１２を含む。この管理システム１０は、図１に示されるように、オーディオ再生装置１６、例えば図３に示されるようなアイポッド（登録商標）又は同様の種類のオーディオ再生装置を格納するためのポケット１４を含む。この管理システム１０はまた、ポケット１４と関連したデバイスドック１８を含む。デバイスドック１８は、オーディオ再生装置１６、例えば図３に示されるようなアイポッド（登録商標）又は同様の種類のオーディオ再生装置に接続可能なオーディオコネクタ２０を含む。図１に示された管理システム１０はまた、図２に示されるようなジャックドック２２を含む。該ジャックドック２２は、オーディオ再生装置１６とともに使用するための基本的な種類のヘッドホンなどの、例えばヘッドホンプラグ２８を介してヘッドホン２６に接続するように構成されたヘッドホンジャック２４を含む。図１及び図２に示された管理システム１０は、図１に示されたデバイスドック１８と図２に示されたジャックドック２２との間で衣類１２と一体化した細長い伸縮性織物のデータバス（elongated stretchable textile data bus）３０を含む。細長い伸縮性織物のデータバス３０のさらなる詳細は、特許文献５及び特許文献６に記載されており、それらは参照によって本願に組み込まれる。細長い伸縮性織物のデータバス３０は、従来のシステムに見られたような衣類のチャンネル内にヘッドホンのケーブルを通す必要性を除去し、システム１０が高性能の生地ととともに使用されることを可能にし、従来のシステムより容易に製造することができる。
【００２７】
図１に示されたデバイスドック１８は好ましくは、図４に示されたハウジング３４を含んでおり、該ハウジング３４は、その内部にオーディオコネクタ２０を固定するためのチャンネル３６を画定する。ハウジング３４は好ましくは、サブシステム３８を含み、該サブシステム３８は、オーディオコネクタ２０をデータ／電力バス３０に接続するように構成される。一の例において、電線４０は、オーディオコネクタ２０とデータ／電力バス３０との間の電気的な相互接続を提供する。一の例において、ハウジング３４は、図５にさらに詳細が示されたシェルフ（shelf）４２を含んでもよい。該シェルフ４２は、オーディオ再生装置１６を位置付けるように構成され、それによって、オーディオ再生装置１６のジャック４６は、例えば図３に示されるように、デバイスジャック１８のオーディオコネクタ２０を係合する。図６は、オーディオ再生装置１６のジャック４６とデバイスドック１８のオーディオコネクタ２０とのさらなる詳細を示す。デバイスドック１８は、図４に示されるように、カバー５１を含んでもよく、該カバー５１は、ハウジング３４に取り付けられる。
【００２８】
一の実施形態において、図４〜６に示されたデバイスドック１８は、図１に示された衣類１２にデバイスドック１８を固定するためのフランジ５０を含む。一の実施形態において、図５に示されたフランジ５０は、複数の開口部５２を含み、該複数の開口部５２は、糸又は類似の種類の材料を介して、衣類１２にデバイスドック１８を取り付けるために提供する。一の例において、デバイスドック１８は、例えば下部分１７に隣接して、衣類１２の前方部１３に位置してもよい。この位置は、使用者がオーディオ再生装置１６を容易に見ることを可能にするとともに、オーディオ再生装置１６を容易に制御することを可能にする。他の例において、デバイスドック１８は、衣類１２の前方部１３又は後方部１５の任意の所望な位置に位置されてもよい。
【００２９】
図２に示されたジャックドック２２は好ましくは、図７に示されたハウジング６０を含み、該ハウジング６０は、その内部にヘッドホンジャック２４を固定するように構成される。ハウジング６０は好ましくは、サブシステム６２を含み、該サブシステム６２は、ヘッドホンジャック２４をデータ／電力バス３０に接続するように構成される。一の例において、電線６４は、ヘッドホンジャック２４とデータ／電力バス３０との間の電気的な相互接続を提供する。ヘッドホンドック２２はまた、好ましくは、フランジ６６を含み、該フランジ６６は、図２に示されるように、ジャックドック２２を衣類１４に固定するように構成される。一の例において、ジャックドック２２は、例えば首部分１９に近接して、衣類１２の後方部１５に設けられてもよい。他の例において、ジャックドック２２は、図１に示された衣類１２の前方部１３又は図２に示された衣類１２の後方部１５の任意の所望な位置に位置してもよい。同様に、図５を参照して上述したように、フランジ６６は、複数の開口部６８を含んでもよく、該複数の開口部６８は、当業者に周知な糸又は類似の種類の材料で、ジャックドック２２を衣類１４に接続するために使用される。一の例において、ジャックドック２２は、ハウジング６０に取り付けるカバー７０を含んでもよい。
【００３０】
同一の部材が同一の参照符号を含む図８は、実際のプロトタイプの着用可能型オーディオケーブル管理システム１０の一の例を示す。該着用可能型オーディオケーブル管理システム１０は、衣類１２、ポケット１４、デバイスドック１８、オーディオコネクタ２０、及び細長い伸縮性織物のデータバス３０を示している。図９は、ジャックドック２２、ヘッドホンジャック２４、及びデータ／電力バス３０を示すシステム１０の背中側を示す写真である。
【００３１】
図１、２、８、及び９に示されるように、システム１０は、身体にぴったり合う衣類１２を含む。他の実施形態において、システム１０は、同一の部材が同一の参照符号を付与された図１０及び図１１に示されるような、ゆったりとした衣類１２’を含んでもよい。
【００３２】
その結果、衣類上のポケットは、衣類の便利な位置に、例えば衣類の前方部の下部分に、オーディオ再生装置を固定し、それによって、使用者がオーディオ再生装置を容易に見ることを可能にし、且つオーディオ再生装置を容易に制御することができる。着用可能型オーディオケーブル管理システムはまた、オーディオ再生装置に接続するオーディオコネクタを含むポケットと関連したデバイスドックを含む。一の例において、衣類の後方部の首部分に隣接して位置された、ヘッドホンを有するジャックドックは、ヘッドホンに接続するために提供する。一体化された伸縮性のデータバスは、ヘッドホンケーブルを衣類のチャンネル内に延在させる必要性を除去し、それによって、高性能の生地とともに使用されることができ、且つ製造を容易にすることができる。
【００３３】
本願発明の特定の特徴がいくつかの図面に示され、且つ他のものに示されていないけれども、各特徴が本願発明に従って他の特徴のいずれか又は全ての他の特徴と組み合わせることができるので、これは、便宜上のためのみである。本願で使用されるような「含む」、「備える」、「有する」、及び「有する」との用語は、幅広く、且つ包括的に解釈されるべきであり、任意の物理的な相互接続に制限されるものではない。さらに、この出願に開示された任意の実施形態は、唯一あり得る実施形態として捉えるべきではない。
【００３４】
さらに、この特許のための出願の手続き中に提示される任意の補正は、提出された出願に提示された任意の特許請求の範囲の要素の否認ではない。当業者は、すべての可能な等価物を事実上包含するであろう特許請求の範囲を起草するよう合理的に期待されることができず、多くの等価物は、補正の時点において予見できないものであって、放棄されるべき（もしあれば）ところのものの正当な解釈を超えているものであり、補正の根底にある理論的根拠は多くの等価物と逸脱した関係以上のものを有さないかもしれず、及び／または、補正された任意の特許請求の範囲の要素の代わりに或る実質的でない代替物を出願人が記載するように期待されることができない他の多くの理由がある。
【００３５】
他の実施形態は、当業者に想到されるであろう。そして、他の実施形態は、以下の特許請求の範囲内に存在する。
【符号の説明】
【００３６】
１０  着用可能型オーディオケーブル管理システム
１２  衣類
１３  前方部
１４  ポケット
１５  後方部
１６  オーディオ再生装置
１８  デバイスドック
２０  オーディオコネクタ
２２  ジャックドック
２４  ヘッドホンジャック
２６  ヘッドホン
２８  ヘッドホンプラグ
３０  データ／電力バス
３４  ハウジング
３６  チャンネル
３８  サブシステム
４０  電線
４２  シェルフ
４６  ジャック
５０  フランジ
５１  カバー
５２  複数の開口部
６０  ハウジング
６２  サブシステム
６４  電線
６６  フランジ
６８  複数の開口部
７０  カバー
【図１】
2013520078.tif 000003
【図２】
2013520078.tif 000004
【図３】
2013520078.tif 000005
【図４】
2013520078.tif 000006
【図５】
2013520078.tif 000007
【図６】
2013520078.tif 000008
【図７】
2013520078.tif 000009
【図８】
2013520078.tif 000010
【図９】
2013520078.tif 000011
【図１０】
2013520078.tif 000012
【図１１】
2013520078.tif 000013
【国際調査報告】
2013520078.tif 000014